(57)【特許請求の範囲】
【請求項１】
電池と、表示手段と、入力手段と、前記電池から電力を供給する電力供給手段と、前記電池に接続された電源スイッチと、前記電源スイッチに接続された検出手段と、前記電力供給手段を制御する制御手段と、前記電源スイッチの操作を検出する第２の検出手段を備え、前記検出手段は前記電源スイッチが操作されるたびに検出信号を所定時間出力し、その信号をもとに前記制御手段は前記電力供給手段を継続的にＯＮするとともに、所定時間状態が遷移しない場合は、前記電力供給手段をＯＦＦするとともに、前記制御手段は、通常動作モードと前記電源が供給されてから前記電源スイッチが操作されたかを検出する電源スイッチ検出モードとを備え、前記電源スイッチ検出モード中に、前記制御手段は、前記電力供給手段をＯＮする信号を出力するとともに、前記第２の検出手段からの入力が所定時間ある場合は、前記通常動作モードとに移行し、前記第２の検出手段からの入力が所定時間ない場合は、前記電力供給手段をＯＦＦすることを特徴とした電池機器。
【請求項２】
電池と、表示手段と、入力手段と、前記電池から電力を供給する電力供給手段と、前記電池に接続された電源スイッチと、前記電源スイッチに接続された検出手段と、前記電力供給手段を制御する制御手段と、着脱自在の記憶手段と、前記記憶手段が装着されたことを検出する検出スイッチと、前記検出スイッチが操作されるたびに検出信号を所定時間出力する第３の検出手段を備え、前記検出手段は前記電源スイッチが操作されるたびに検出信号を所定時間出力し、その信号をもとに前記制御手段は前記電力供給手段を継続的にＯＮするとともに、所定時間状態が遷移しない場合は、前記電力供給手段をＯＦＦするとともに、前記記憶手段を装着することにより電力供給手段がＯＮすることを特徴とした電池機器。
【請求項３】
前記検出スイッチの操作を検出する第４の検出手段を備え、前記第４の検出手段が前記記憶手段の装着を検出した場合、前記制御手段は、前記記憶手段の記憶内容に従い表示手段の表示を更新することを特徴とした請求項２に記載の電池機器。
【請求項４】
記憶手段は、複数の記憶内容の異なるメモリーカードで構成されており、前記メモリーカードが装着された場合、メモリーカードごとに付与されたコードを表示手段に表示させることを特徴とした請求項３に記載の電池機器。
【発明の詳細な説明】
【０００１】
【発明の属する技術分野】
本発明は、電池を電源とした電池機器に関するものである。
【０００２】
【従来の技術】
従来、この種の電池を用いた機器には電源のオートオフ機能を備えているものがある。機器に備えてある電源スイッチにより機器が動作し、所定時間操作されない場合に、電源をＯＦＦするようになっている。
【０００３】
図６は、従来の電池機器のブロック図を示すものである。
【０００４】
図６において、１は電池、２は電源スイッチ、３は電力の供給をＯＮ／ＯＦＦする電力供給手段で、トランジスタＱ１と抵抗Ｒ１及びＲ２で構成されている。４は機器の制御を行う制御手段で、マイクロコンピュータ５（以降は、マイコンと称す）とトランジスタＱ２と抵抗Ｒ３で構成されている。６は機器の状態を表示する表示手段、７は入力手段である。使用者が、電源スイッチ２を押すと、電力供給手段３がＯＮするとともに、マイコン５が動作し、トランジスタＱ２をＯＮさせる信号をポートＰ１から出力することにより、電力供給手段３のＯＮが継続される。そして、入力手段６からの入力が所定時間ない場合は、マイコン５は、ポートＰ１の出力をＯＦＦすることにより、電力供給手段３をＯＦＦさせる。
【０００５】
【発明が解決しようとする課題】
しかしながら、最近の電池機器は、服のポケットやカバンの中に携帯して持ち運びされるものが多く、機器のスイッチが押されたままになる場合がよくある。前記従来の構成では、電源スイッチが押され続けた場合、電力供給手段をＯＦＦすることができないので、使用していない間も電池が消費されるため電池の寿命が短くなるという課題を有していた。
【０００６】
本発明は、前記従来の課題を解決するもので、機器の電源スイッチが押され続けた場合でも、所定時間後に電力供給手段をＯＦＦさせることで、不要な電池の消費を減らした電池機器を提供することを目的とする。
【０００７】
【課題を解決するための手段】
前記従来の課題を解決するために、本発明の電池機器は、電池と、表示手段と、入力手段と、前記電池から電力をＯＮ／ＯＦＦする電力供給手段と、前記電池に接続された電源スイッチと、電源スイッチが操作されるたびに検出信号を所定時間出力し、電力供給手段をＯＮする検出手段と、電力供給手段を継続的にＯＮするとともに、所定時間状態が遷移しない場合は、電力供給手段をＯＦＦする制御手段と、前記電源スイッチの操作を検出する第２の検出手段を備え、前記制御手段は、通常動作モードと前記電源が供給されてから前記電源スイッチが操作されたかを検出する電源スイッチ検出モードとを備え、前記電源スイッチ検出モード中に、前記制御手段は、前記電力供給手段をＯＮする信号を出力するとともに、前記第２の検出手段からの入力が所定時間ある場合は、前記通常動作モードとに移行し、前記第２の検出手段からの入力が所定時間ない場合は、前記電力供給手段をＯＦＦすることを特徴としたである。
【０００８】
これによって、電源スイッチが押され続けたとしても、制御手段からの出力により電力供給手段のＯＮが継続されているため、制御手段の出力をＯＦＦすることで、確実に電力供給手段をＯＦＦさせることができる。このことにより、電源スイッチを誤って短時間押しても容易に通常動作モードに入らなくすることができる。
【０００９】
【発明の実施の形態】
請求項１に記載の発明は、制御手段は、電源が供給されてから電源スイッチが操作されたかを検出する電源スイッチ検出モードと通常動作モードとを備え、電源スイッチ検出モード中において、制御手段は、電力供給手段をＯＮさせる信号を出力するとともに、第２の検出手段からの入力が所定時間ある場合、通常動作モーとに移行し、第２の検出手段からの入力が所定時間ない場合、前記電力供給手段をＯＦＦさせることで、電源スイッチを誤って短時間押しても容易に通常動作モードに入らなくすることができる。
【００１０】
請求項２記載の発明は、着脱自在の記憶手段と、記憶手段が装着されたことを検出する検出スイッチと、検出スイッチが操作されるたびに検出信号を所定時間出力する第３の検出手段を備え、第３の検出手段からの出力信号により電力供給手段がＯＮするようにしたため、記憶手段を装着した後に電源スイッチを押す必要が無く電源がＯＮするため、使い勝手が良くなる。
【００１１】
請求項３記載の発明は、検出スイッチの操作を検出する第４の検出手段を備え、第４の検出手段が記憶手段の装着を検出した場合、制御手段は、記憶手段の記憶内容に従い表示手段の表示内容を更新するようにしたため、使用者は、すぐに記憶手段の記憶内容を見ることができる。
【００１２】
請求項４記載の発明は、記憶手段は、複数の記憶内容の異なるメモリーカードで構成され、メモリーカードが装着された場合、メモリーカードごとに付与されたコードを、表示手段に表示させるようにしたため、メモリーカードを取り替えるだけでどの種類のメモリーカードが装着されたかを表示手段で確認することができる。
【００１３】
【実施例】
以下本発明の実施例について、図面を参照しながら説明する。
【００１４】
（実施例１）
図１は、本発明の実施例１における電池機器のブロック図を示すものである。
【００１５】
図１において、１は電池で、１次電池や２次電池のどちらを用いてもよい。２は電源スイッチで、機器の電源をＯＮさせるスイッチである。３は電力供給手段であり、トランジスタＱ１と抵抗Ｒ１及びＲ２で構成されており、抵抗Ｒ２を介してトランジスタＱ１のベースに電流を流すことにより、トランジスタＱ１がＯＮするようになっている。４は制御手段であり、マイコン５とトランジスタＱ２と抵抗Ｒ３で構成されている。マイコン５は、機器全体の制御を行っている。
【００１６】
機器への電力供給の継続は、マイコン５のポートＰ１からの出力によりコントロールされている。電力供給を行う場合、マイコン５のポートＰ１からの出力によりトランジスタＱ２がＯＮすることで行われる。６は表示手段で、機器の状態を表わす表示を行っている。７は入力手段で複数のスイッチで構成されている。８は検出手段で、トランジスタＱ３とコンデンサＣ１と対抗Ｒ４〜Ｒ６及びダイオードＤ１とＤ２から構成されている。電源スイッチ２が押されると、コンデンサＣ１とダイオードＤ２及び抵抗Ｒ５を介してトランジスタＱ３のベースへ電流が流れ、トランジスタＱ３がＯＮする。コンデンサＣ１への充電が進むにつれてトランジスタＱ３へのベース電流が減少し、トランジスタＱ３がＯＦＦする。これにより、電源スイッチ２が押されると、コンデンサＣ１の充電時定数に相関した所定時間の間はトランジスタＱ３をＯＮさせることができる。さらに、電源スイッチ２が継続して押されづけたとしても、コンデンサＣ１に充電電流が流れることがないため、トランジスタＱ３はＯＮすることがない。また、電源スイッチ２がＯＦＦ状態になれば、コンデンサＣ１に充電された電荷は、ダイオードＤ１及び抵抗Ｒ４の経路で放電されるため、次に電源スイッチ２が押されても再びトランジスタＱ３をＯＮできる状態となる。
【００１７】
以上のように構成された電池機器について、以下にその動作、作用を説明する。
【００１８】
まず、待機状態において、機器を動作状態にするために電源スイッチ２を押すと、検出手段８の働きにより、トランジスタＱ３がＯＮする。トランジスタＱ３がＯＮすると、電力供給手段３のトランジスタＱ１のベースに電流が流れるため、トランジスタＱ１がＯＮする。トランジスタＱ１がＯＮすると、制御手段への電力供給が開始され、制御手段４のマイコン５が動作する。マイコン５は、動作するとすぐにポートＰ１からトランジスタＱ２をＯＮさせる信号を出力する。トランジスタＱ２がＯＮすると、トランジスタＱ１のＯＮの継続がマイコン４により行われるようになる。そして、これらの初期の起動動作を経て、通常動作モードに移る。通常動作モード中は、表示手段６により動作状態を表示し、入力手段７からの入力に従い、表示状態が変わる。また、入力手段７からの入力が所定時間ない場合には、マイコン４は操作が終了したと判断し、トランジスタＱ２をＯＦＦさせる。これにより、トランジスタＱ１がＯＦＦし待機状態となる。
【００１９】
以上のように、本実施例においては電源スイッチ２を操作するたびに所定時間検出信号を出力する検出手段８を設けることにより、電源スイッチ２が押し続けの状態になっても、電源スイッチ２の状態とは無関係に電力供給手段３をＯＦＦすることができるようになり、不要な電力の消費を減らすことができる。
【００２０】
（実施例２）
図２は、本発明の実施例２の電池機器のブロック図である。図２において、実施例１の構成と異なるところは、電源スイッチ２の操作を検出する第２の検出手段９を設けた点である。なお、実施例１と同一符号のものは同一構造を有し、説明は省略する。
【００２１】
まず、第２の検出手段９は、トランジスタＱ４と抵抗Ｒ７〜Ｒ９で構成され、電源スイッチ２の状態によりトランジスタＱ４が動作し、マイコン４の入力ポートＰ２に入力信号が入る。例えば、電源スイッチ２が押された場合には、トランジスタＱ４のベースに電流が流れることによりトランジスタＱ４がＯＮし、マイコン４のポートＰ２にはＬｏレベルの信号が入力される。このことによりマイコン４は、電源スイッチ２が押されたことを認識する。これらの機能が追加されることにより、電源スイッチ２を通常動作モード中において入力手段の一つとして用いることができる。
【００２２】
以上のように、本実施例に置いては電源スイッチ２の状態を検出する第２の検出手段を設けることにより、従来は、電源ＯＦＦスイッチを入力手段７に構成された複数のスイッチの一つに割り当てていたのにたいし、電源スイッチ２を電源のＯＮ／ＯＦＦスイッチにすることにより、スイッチの数を減らすことができる。
【００２３】
また、本実施例では、通常動作モードで電源スイッチ２又は、入力手段７に構成されたスイッチが所定時間操作され続けた場合、電力供給手段３をＯＦＦさせるようにしている。これにより、スイッチの操作を受け付ける通常動作モードにおいて、誤ってスイッチを押した状態で放置されたとしても、電力供給手段３をＯＦＦさせることができるようになり、不要な電力の消費を減らすことができる。
【００２４】
また、本実施例では、第２の検出手段９を設けることにより、電源スイッチ２が所定時間以内の短い時間の操作がされた場合は、通常動作モードへ移行せず待機状態へ移行することもできる。図３は、第２の実施例のフローチャートを示す図である。電源スイッチ２を操作すると、検出手段８のトランジスタＱ３がＯＮし、トランジスタＱ１のベースに電流が流れトランジスタＱ１がＯＮする。トランジスタＱ１のＯＮにより電源供給が開始されマイコン５のリセットが解除される。マイコン５のリセットが解除されると、ステップＳ１でプログラムがスタートする。ステップＳ２では、電源の供給を継続するためマイコン４の出力ポートＰ１より、トランジスタＱ２をＯＮさせる信号が出力される。ステップＳ３では、マイコン４が初期化され、ステップＳ４で、所定時間が設定される。ステップＳ５では、第２の検出手段の出力信号をみて電源スイッチ２が押されているかを判断している。電源スイッチ２が押されている場合は、ステップＳ６へ進み、設定された所定時間が経過したかを判断している。ステップＳ６で所定時間が経過している場合は、マイコン５は使用者が機器の電源を入れようとしていると判断し、ステップＳ７の通常動作モードへ移行し通常動作となる。また、ステップＳ５で電源スイッチ２の入力がない場合は、ステップＳ８へ移行し、電力供給手段３をＯＦＦする処理に移行する。電力供給手段３がＯＦＦされると、機器は待機状態となる。
【００２５】
以上のように、本実施例に置いては短い時間の電源スイッチの操作では、通常動作状態に移行しないようにしているため、誤って電源スイッチ２を操作しても容易に電源ＯＮ状態が継続される状態に移行しにくいため、不要な電力の消費を減らすことができる。
【００２６】
（実施例３）
図４は、本発明の実施例３の電池機器のブロック図である。図４において、実施例２の構成と異なるところは、着脱自在の記憶手段１０と、記憶手段が装着されたことを検出する検出スイッチ１１と、検出スイッチ１１が操作されるたびに検出信号を所定時間出力する第３の検出手段１２と、検出スイッチ１１のＯＮ／ＯＦＦの状態を検出する第４の検出手段１３を設けた点である。図５は、本発明の実施例３における電池機器の外観図である。なお、実施例２と同一符号のものは同一構造を有し、説明は省略する。
【００２７】
まず、記憶手段１０は図５に示すようなメモリーカードの形態のものが多く、記憶内容の異なる複数のメモリーカードが用意されている。この記憶手段１０は、書き換え可能なものもであっても、あらかじめ提供されたメモリー内容が入った書き換えできないものであってもよい。検出スイッチ１１は、市販されているメモリーカード用のソケットに備えてある検出スイッチを使うことにより、簡単に構成することができる。第３の検出手段１２は、トランジスタＱ５とコンデンサＣ２と対抗Ｒ１０〜Ｒ１２及びダイオードＤ３とＤ４から構成されている。検出スイッチ１１がメモリーカードの装着を検出すると、コンデンサＣ２とダイオードＤ４及び抵抗Ｒ１１を介してトランジスタＱ５のベースへ電流が流れ、トランジスタＱ５がＯＮする。コンデンサＣ２への充電が進むにつれてトランジスタＱ５へのベース電流が減少し、トランジスタＱ５がＯＦＦする。これらにより、メモリーカードが装着されると、コンデンサＣ２の充電時定数に相関した所定時間の間はトランジスタＱ５をＯＮさせることができる。さらに、メモリーカードが装着された状態では、コンデンサＣ２は充電が完了した状態でありコンデンサＣ２に電流が流れることがないため、トランジスタＱ５はＯＮすることがない。また、メモリーカードが外されると、コンデンサＣ２に充電された電荷は、ダイオードＤ３及び抵抗Ｒ１０の経路で放電されるため、次のメモリーカードの装着時に再びトランジスタＱ５を所定時間ＯＮすることができる。更に、トランジスタＱ５がＯＮすると、電力供給手段３のトランジスタＱ１のベースに電流が流れるため、トランジスタＱ１がＯＮする。トランジスタＱ１がＯＮすると、制御手段への電力供給が開始され、制御手段４のマイコン５が動作する。マイコン５は、動作するとすぐにポートＰ１からトランジスタＱ２をＯＮさせる信号を出力される。トランジスタＱ２がＯＮすると、トランジスタＱ１のＯＮの継続がマイコン４により行われるようになる。そして、これらの初期の起動動作を経て、通常動作モードに移る。
【００２８】
以上のように、本実施例においては、一般的に、これから機器を使用する場合の動作として考えられるメモリーカードの装着動作により、機器の電源を立ち上げるため、電源スイッチを操作する手間がなくなり使い勝手が向上する。
【００２９】
また、本発明の第３の検出手段を用いることにより、待機状態でメモリーカードを抜いても電源がＯＮしないので、不要な電池の消費を減らすことができる。
【００３０】
また、本実施例の第４の検出手段１３は、トランジスタＱ６と抵抗Ｒ１３〜Ｒ１５で構成され、検出スイッチ１１の状態によりトランジスタＱ６が動作し、マイコン４の入力ポートＰ３に入力信号が入る。例えば、メモリーカードが装着された場合には、トランジスタＱ６のベースに電流が流れることによりトランジスタＱ６がＯＮし、マイコン４のポートＰ３にはＬｏレベルの信号が入力される。これによりマイコン４は、メモリーカードが挿入されたことを認識する。このことにより、メモリーカードの装着状態が常時検出することができる。そして、マイコン５は、メモリーカードが交換されるたびに第４の検出手段１３の出力信号を入力ポートＰ３で検出し、メモリーカードを読みに行いく。その中で、マイコン５は、メモリーカードの記憶領域に格納されたメモリーカードの名称といった情報を読み出した後に、表示手段６に表示する。これにより、使用者は、メモリーカードが装着するたびにメモリーカードの内容を把握することができる。
【００３１】
【発明の効果】
以上のように、請求項１〜４に記載の発明によれば、誤ったスイッチの操作がされた場合においても、確実に電源をＯＦＦする構成にしているため、不要な電力の消費を減らすことができる。
【図面の簡単な説明】
【図１】  本発明の実施例１における電池機器のブロック図
【図２】  本発明の実施例２における電池機器のブロック図
【図３】  本発明の実施例２のフローチャート
【図４】  本発明の実施例３における電池機器のブロック図
【図５】  本発明の実施例３における電池機器の外観図
【図６】  従来の電池機器のブロック図
【符号の説明】
１  電池
２  電源スイッチ
３  電力供給手段
４  制御手段
５  マイコン
６  表示手段
７  入力手段
８  検出手段
【図１】
0003705186.tif 000002
【図２】
0003705186.tif 000003
【図３】
0003705186.tif 000004
【図４】
0003705186.tif 000005
【図５】
0003705186.tif 000006
【図６】
0003705186.tif 000007